(57)【要約】【課題】自由な造形、デザイン、印刷等の複合した構造により受け取る側に強烈な印象を与えることができ、広告宣伝媒体としての高い機能を有し、目にも楽しく話題性に富んだ新機軸の名刺を提供すること。【解決手段】印刷用紙８ｂの第１用紙部６ｂの裏面には自動車の図柄を印刷し、第２用紙部７ｂの表面には、背景となる樹木の図柄１２と、使用者の社名１３及び所属・氏名・連絡先等の本人情報２を印刷する。第１用紙部６ｂの図柄以外の不要部分４ｂを切除し、第１用紙部６ｂを折線１０ｂでプレス成型し、自動車の図柄が氏名等を隠して樹木の図柄１２の前に来るように第２用紙部７ｂの表面上に折り重ねる。【選択図】図３
0003118939.tif 000002
【実用新案登録請求の範囲】
【請求項１】
１枚の矩形シートである用紙部の一部を切断して除去することにより所望の形状に加工され、前記用紙部の少なくとも一面には前記所望の形状に対応した模様及び色彩と使用者を特定するための情報とが印刷されたことを特徴とする造形名刺。
【請求項２】
折線を境に区画されて折り重ね自在とされた同一矩形状の第１用紙部及び第２用紙部からなる印刷用紙から製造される名刺であって、
前記第１用紙部の一部を切断して除去することにより所望の形状に加工し、前記所望の形状に対応した模様及び色彩を前記第１用紙部の少なくとも一方の面に印刷し、
前記折線を境に前記第１用紙部を前記第２用紙部の一方の面の上に重ねて前記第１用紙部の一方の面の印刷が表出する状態において、前記第２用紙部の一方の面の少なくとも前記第１用紙部によって隠されない位置に前記第１用紙部の形状及び前記第１用紙部の一方の面の印刷に対応した模様及び色彩を印刷するとともに、前記第２用紙部の一方の面の前記第１印刷面によって隠される位置に使用者を特定するための情報の少なくとも一部を印刷したことを特徴とする造形名刺。
【請求項３】
第１及び第２の折線を境に区画されて互いに折り重ね自在とされた第１乃至第３用紙部からなる印刷用紙から製造される名刺であって、
第１及び第２の折線を介して第２用紙部及び第３用紙部と連続した第１用紙部に使用者を特定するための情報の少なくとも一部が印刷され、
第２用紙部及び第３用紙部の各一部を必要に応じ切断して除去することにより所望の形状に加工し、前記所望の形状に対応した模様及び色彩が第２用紙部及び第３用紙部の少なくとも一方の面の少なくとも一部に印刷され、
前記第１及び第２の折線を境に前記第１用紙部の一方又は他方の面に第２用紙部又は第３用紙部を重ねたことを特徴とする造形名刺。
【請求項４】
第１乃至第５用紙部からなり、中央の第１用紙部の４辺をなす第１乃至第４の折線を境に第２乃至第５用紙部が第１用紙部に対して折り重ね自在に一体化された印刷用紙から製造される名刺であって、
第１用紙部に使用者を特定するための情報の少なくとも一部を印刷し、
第２用紙部乃至第５用紙部の各一部を必要に応じ切断して除去することにより所望の形状に加工し、第２用紙部乃至第５用紙部の少なくとも一方の面の少なくとも一部にその形状に対応した模様及び色彩を印刷し、
前記第１乃至第４の折線を境に前記第１用紙部の一方又は他方の面に第２用紙部乃至第５用紙部を重ねたことを特徴とする造形名刺。
【請求項５】
実質的に同一形状であるＮ（Ｎは２以上の整数）以上の用紙部からなり、第１用紙部の辺をなす（Ｎ−１）本の折線を境に（Ｎ−１）枚の用紙部が第１用紙部に対して外形が一致するように折り重ね自在とされた１枚の印刷用紙から製造される名刺であって、
第１用紙部に使用者を特定するための情報の少なくとも一部を印刷し、
その他の用紙部の各一部を必要に応じ切断して除去することにより所望の形状に加工し、前記所望の形状に対応した模様及び色彩をその他の用紙部の少なくとも一方の面の少なくとも一部に印刷し、
前記折線を境に前記第１用紙部にその他の用紙部を重ねたことを特徴とする造形名刺。
【請求項６】
一方の用紙部に他方の用紙部を重ねる場合において、一方の用紙部の重ね面に所望の表示を形成しておき、一方の用紙部の前記表示に対応する他方の用紙部の特定位置に貫通孔を切断除去により形成し、一方の用紙部に他方の用紙部を重ねた場合に前記所定の表示が他方の用紙部の貫通孔を通して視認できるようにしたことを特徴とする請求項１乃至５記載の造形名刺。
【請求項７】
前記折線のない状態にある１枚の前記印刷用紙をプレス加工により前記折線を介して前記用紙部と前記用紙部を重ねた構造とすることにより、重ねられた前記用紙部と前記用紙部が復元力により自発的に展開しないように構成したことを特徴とする請求項１乃至６記載の造形名刺。
【考案の詳細な説明】
【技術分野】
【０００１】
本考案は、単なる矩形状のカードに会社名や氏名住所等を印刷したに止まる従来の一般的な名刺と異なり、自由な造形（形状乃至プレス成型）、デザイン、印刷等の複合した構造により受け取る側に強烈な印象を与えることができ、広告宣伝媒体としての高い機能を有し、また目にも楽しく話題性に富んだ新機軸の名刺に関するものである。
【背景技術】
【０００２】
従来の一般的な名刺は、単なる矩形状のカード（例えば９ｃｍ×５．５ｃｍ程度の規格によるもの）に会社名や氏名住所等を印刷したものであって、基本的にそれ以上の情報を伝達するものではなく、せいぜい会社のキャッチフレーズや取り扱い品目を印刷したり、デザイン上のバリエーションとして会社のシンボルマークを入れたり、本人の似顔絵や写真を入れる程度に止まるものであった。
【考案の開示】
【考案が解決しようとする課題】
【０００３】
上述のような従来の典型的な名刺では、事実上形状が規格サイズに固定されており、デザインのバリエーションも大同小異であるため、相手に手渡しても強烈な印象を与えることができず、営業上の効果に乏しいという問題があった。また、そのような名刺を営業対象である特定の人物に受け取ってもらえたとしても、その特定の人物の手元に集まった多くの同業他社の営業者の名刺はどれも同じサイズでデザインのバリエーションも大同小異であるから、その中である特定の営業者の名刺だけが目立つということはありえず、せっかく当該特定の人物（潜在的需要者等）に手渡すことができても、その人物が有する多数の名刺の中に埋もれてしまい、自分の名刺だけが多数の名刺の中で名刺それ自体として目立つということは考えられなかった。
【０００４】
そこで本考案は以上の課題を解決することを目的としており、自由な造形、デザイン、印刷等の複合した構造により受け取る側に強烈な印象を与えることができ、広告宣伝媒体としての高い機能を有し、目にも楽しく話題性に富んだ新機軸の名刺を提供することを目的としている。
【課題を解決するための手段】
【０００５】
請求項１に記載された造形名刺は、
１枚の矩形シートである用紙部の一部を切断して除去することにより所望の形状に加工され、前記用紙部の少なくとも一面には前記所望の形状に対応した模様及び色彩と使用者を特定するための情報とが印刷されたことを特徴としている。
【０００６】
請求項２に記載された造形名刺は、
折線を境に区画されて折り重ね自在とされた同一矩形状の第１用紙部及び第２用紙部からなる印刷用紙から製造される名刺であって、
前記第１用紙部の一部を切断して除去することにより所望の形状に加工し、前記所望の形状に対応した模様及び色彩を前記第１用紙部の少なくとも一方の面に印刷し、
前記折線を境に前記第１用紙部を前記第２用紙部の一方の面の上に重ねて前記第１用紙部の一方の面の印刷が表出する状態において、前記第２用紙部の一方の面の少なくとも前記第１用紙部によって隠されない位置に前記第１用紙部の形状及び前記第１用紙部の一方の面の印刷に対応した模様及び色彩を印刷するとともに、前記第２用紙部の一方の面の前記第１印刷面によって隠される位置に使用者を特定するための情報の少なくとも一部を印刷したことを特徴としている。
【０００７】
請求項３に記載された造形名刺は、
第１及び第２の折線を境に区画されて互いに折り重ね自在とされた第１乃至第３用紙部からなる印刷用紙から製造される名刺であって、
第１及び第２の折線を介して第２用紙部及び第３用紙部と連続した第１用紙部に使用者を特定するための情報の少なくとも一部が印刷され、
第２用紙部及び第３用紙部の各一部を必要に応じ切断して除去することにより所望の形状に加工し、前記所望の形状に対応した模様及び色彩が第２用紙部及び第３用紙部の少なくとも一方の面の少なくとも一部に印刷され、
前記第１及び第２の折線を境に前記第１用紙部の一方又は他方の面に第２用紙部又は第３用紙部を重ねたことを特徴としている。
【０００８】
請求項４に記載された造形名刺は、
第１乃至第５用紙部からなり、中央の第１用紙部の４辺をなす第１乃至第４の折線を境に第２乃至第５用紙部が第１用紙部に対して折り重ね自在に一体化された印刷用紙から製造される名刺であって、
第１用紙部に使用者を特定するための情報の少なくとも一部を印刷し、
第２用紙部乃至第５用紙部の各一部を必要に応じ切断して除去することにより所望の形状に加工し、第２用紙部乃至第５用紙部の少なくとも一方の面の少なくとも一部にその形状に対応した模様及び色彩を印刷し、
前記第１乃至第４の折線を境に前記第１用紙部の一方又は他方の面に第２用紙部乃至第５用紙部を重ねたことを特徴としている。
【０００９】
請求項５に記載された造形名刺は、
実質的に同一形状であるＮ（Ｎは２以上の整数）以上の用紙部からなり、第１用紙部の辺をなす（Ｎ−１）本の折線を境に（Ｎ−１）枚の用紙部が第１用紙部に対して外形が一致するように折り重ね自在とされた１枚の印刷用紙から製造される名刺であって、
第１用紙部に使用者を特定するための情報の少なくとも一部を印刷し、
その他の用紙部の各一部を必要に応じ切断して除去することにより所望の形状に加工し、前記所望の形状に対応した模様及び色彩をその他の用紙部の少なくとも一方の面の少なくとも一部に印刷し、
前記折線を境に前記第１用紙部にその他の用紙部を重ねたことを特徴としている。
【００１０】
請求項６に記載された造形名刺は、請求項１乃至５記載の造形名刺において、
一方の用紙部に他方の用紙部を重ねる場合において、一方の用紙部の重ね面に所望の表示を形成しておき、一方の用紙部の前記表示に対応する他方の用紙部の特定位置に貫通孔を切断除去により形成し、一方の用紙部に他方の用紙部を重ねた場合に前記所定の表示が他方の用紙部の貫通孔を通して視認できるようにしたことを特徴としている。
【００１１】
請求項７に記載された造形名刺は、請求項１乃至６記載の造形名刺において、
前記折線のない状態にある１枚の前記印刷用紙をプレス加工により前記折線を介して前記用紙部と前記用紙部を重ねた構造とすることにより、重ねられた前記用紙部と前記用紙部が復元力により自発的に展開しないように構成したことを特徴としている。
【考案の効果】
【００１２】
本考案の造形名刺によれば、規格寸法からなる従来の単なる矩形の名刺とは異なり、形状・寸法・模様・色彩が自由であり、受け取る側に強烈な印象を与えることができ、広告宣伝媒体としての高い機能を有している。
【００１３】
さらに、折線を境に互いに折り重ねられる複数の用紙部からなる印刷用紙で製造する場合には、受渡しの段階では折り重ねた上側の用紙部の印刷が視認され、受け取り後に受け取り者が折り重ねた上側の用紙部を開くと下側の用紙部の印刷が見えるようにする構成ともできるので、受け取る側に与える印象をさらに強めることができる。
【００１４】
さらに、重ねた用紙部に設けた貫通孔から下にある用紙部の印刷が見えるようにしておけば、その興趣はさらに高まる。
【００１５】
そして、複数の用紙部を折り重ねた状態とするために、１枚の印刷用紙に十分な押圧力のプレス加工で折線をつけて折り畳むこととすれば、用紙部と前記用紙部が復元力により自発的に展開しないような確実な折り畳み状態を得ることができ、販売時、搬送時、使用時等における取り扱いに支障を生じることがない。
【考案を実施するための最良の形態】
【００１６】
以下、本考案の実施形態を図面を参照して説明する。
（１）第１実施形態（１面タイプ、図１及び図２）
図１は第１実施形態の造形名刺１ａの製造工程中（切断前）の平面図であり、図２は第１実施形態の造形名刺１ａ（完成品）の平面図である。この造形名刺は、１枚の矩形シートである用紙部から製造する。この用紙部の寸法は任意であるが、例えば縦７０ｍｍ、横９１ｍｍ〜１０１ｍｍと従来の規格名刺用紙よりも大きく、受け取った者に強烈な印象を与えることができる。
【００１７】
図１に示すように、上記特別な寸法の矩形の用紙部の周縁部（中央部以外の場所）に、当該造形名刺１ａの使用者の属性に関連するような模様・色彩のデザインを印刷しておく。本例では、一例としてハウジング会社の社員が使用する造形名刺１ａを例示しており、そのために使用者の社名・マーク・所属・氏名・連絡先等、使用者を特定するための名刺本来の本人情報２が印刷される領域の周囲には、ハウジング会社を連想させるような家の模様３が印刷されている。なお、このデザインの家は屋根が傾斜しており、その上の略三角形の部分（図１において斜線を付した部分）は製造時には切断されて除去される不要部分４ａである。
【００１８】
そして、名刺の印刷においては、注文が予想されるハウジング会社ごとに、指定された家のデザイン及び社名、マーク等までは所定寸法の用紙部５に所定の書式で印刷して準備しておき、注文を受けてから中央部分に使用者の氏名、所属、連絡先等の本人情報２を印刷し、前記不要部分４ａをプレスにより切断、除去して仕上がりとなる。
【００１９】
もちろん、用紙部５の中央部以外の領域に需要が予想されるような種々のデザインを印刷した既製品を多種類用意しておき、顧客がその中から自由に気に入ったデザインの用紙部を選択し、これに氏名等を印刷してプレス加工することにより直ちに造形名刺１ａとすることができるようにしておけば、新規の受注に対しても容易に対応できる。
【００２０】
（２）第２実施形態（２面タイプ、図３及び図４）
図３は第２実施形態の造形名刺１ｂの製造工程中（切断前、折り重ね前）の平面図であり、図４は第２実施形態の造形名刺１ｂ（完成品）の平面図である。この造形名刺１ｂは、折線１０ｂを境に区画されて折り重ね自在とされた同一矩形状の第１用紙部６ｂ及び第２用紙部７ｂからなる印刷用紙８ｂから製造される。
【００２１】
図３に示すように、第２実施形態の印刷用紙８ｂは、横長に使用する矩形の第１用紙部６ｂと、これと同形の第２用紙部７ｂが長辺（折線１０ｂ）にて上下方向に連続した全体として縦長矩形状を呈している。
【００２２】
図３に示すように、第１用紙部６ｂ（図中下側）の不要部分４ｂ（斜線部分）は自動車の外形に沿って切断して除去することにより所望の自動車の形状に加工される。この第１用紙部６ｂの裏面には、図４に示すように自動車の形状に沿って任意の色彩、デザインで自動車の図柄１１が印刷されている。
【００２３】
一方、図３に示すように、第２用紙部７ｂの表面には、その両側に自動車の図柄１１の背景に適当なデザインとして樹木の図柄１２が所望の色彩、デザインで印刷されており、中央上方には使用者の社名１３が印刷され、中央よりも下方には所属・氏名・連絡先等、使用者を特定するための名刺本来の本人情報２が印刷されている。
【００２４】
従って、図４に示すように、自動車の形態に打ち抜いた第１用紙部６ｂを折線１０ｂを介して第２用紙部７ｂの表面側に折り返して重ねると、自動車の形をした第１用紙部６ｂが第２用紙部７ｂの本人情報２等を隠し、自動車の図柄１１が第２用紙部７ｂの樹木の図柄１２を背景としてその前面側に配置され、自動車の上方には社名１３だけが視認できる状態となる。
【００２５】
この造形名刺１ｂを受け取った顧客乃至潜在的顧客は、自動車の図柄１１のデザインから連想されるイメージとその上に記載された社名１３から営業者の業種（例えば自動車販売業）を直ちに強く印象付けられ、その後自動車形の第１用紙部６ｂを開くことで当該営業者の氏名等の本人情報２を視認するので、単に矩形の用紙に氏名等が印刷された名刺を受け取った場合に比べて多面的に強烈な印象を与えられることになる。この効果は営業上、大いに有利に働く。
【００２６】
本例では、一例として自動車会社の社員が使用する造形名刺１ｂを例示しており、そのために使用者の社名１３、マーク・所属・氏名・連絡先等の本人情報２等、使用者を特定するための名刺本来の情報が印刷される第２用紙部７ｂの上には、自動車会社を連想させるように自動車の形状に打ち抜かれてこれに対応する印刷も施された第１印刷部６ｂが重ねられるようになっている。なお、この自動車のデザインにおいては、その上方にある図３中斜線を付した部分は製造時には切断されて除去される不要部分４ｂである。
【００２７】
本例においても、注文が予想される自動車関連会社ごとに、指定された自動車のデザイン及び社名、マーク等までは所定寸法の用紙部に所定の位置・書式で印刷して準備しておき、注文を受けてから中央部分に使用者の氏名、所属、連絡先等の本人情報２を印刷し、前記不要部分４ｂをプレス切断して除去するとともに、プレス成型により折り返し部分が復元力で展開しないように自動車形の第１用紙部６ｂを第２用紙部７ｂに折り重ねて仕上がりとなる。
【００２８】
本例においても、第１例と同様に既製品を多種類用意しておき、顧客がその中から自由に気に入ったデザインの用紙部を選択し、これに氏名等を印刷してプレス加工することにより直ちに造形名刺１ｂとすることができるようにしておけば、新規の受注に対しても容易に対応できることはもちろんである。
【００２９】
（３）第３実施形態（２面タイプ、図５及び図６）
この造形名刺１ｃは、折線１０ｃを境に区画されて折り重ね自在とされた同一矩形状の第１用紙部６ｃ及び第２用紙部７ｃからなる印刷用紙８ｃから製造される。
【００３０】
図５に示すように、第３実施形態の印刷用紙８ｃは、横長に使用する矩形の第１用紙部６ｃと、これと同形の第２用紙部７ｃが短辺（折線１０ｃ）にて左右方向に連続した全体として横長矩形状を呈している。
【００３１】
図５に示すように、第１用紙部６ｃ（図中左側）の一部である不要部分４ｃ（斜線部分）は家及び樹木の外形に沿って切断して除去する部分であり、これによって所望の家及び樹木の形状に加工される。この第１用紙部６ｃの裏面には、図６に示すように家及び樹木の形状に沿って任意の色彩、デザインで家及び樹木の図柄１４が印刷されている。
【００３２】
一方、図５に示すように、第２用紙部７ｃ（図中右側）の表面には、その上側に家の背景に適当なデザインとして雲の図柄１５が所望の色彩、デザインで印刷されており、中央には使用者の社名１３、マーク、使用者の所属・氏名・連絡先等、使用者を特定するための名刺本来の本人情報２が印刷されている。
【００３３】
従って、図６に示すように、家等の形態に打ち抜いた第１用紙部６ｃを折線１０ｃを介して第２用紙部７ｃの表面側に折り返して重ねると、家等の形をした第１用紙部６ｃが第２用紙部７ｃの社名１３、氏名・連絡先等の本人情報２を隠し、家等のデザインが第２用紙部７ｃの雲の図柄１５を背景としてその前面側に配置される状態となる。
【００３４】
この造形名刺１ｃを受け取った顧客乃至潜在的顧客は、家のデザインから連想されるイメージから営業者の業種（例えばハウジング産業）を直ちに強く印象付けられ、その後に家形の第１用紙部６ｃを開くことで当該営業者の氏名等を視認するので、単に矩形の用紙に氏名等が印刷された名刺を受け取った場合に比べて多面的に強烈な印象を与えられることになる。この効果は営業上、大いに有利に働く。
【００３５】
本例では、一例としてハウジング会社の社員が使用する造形名刺１ｃを例示しており、そのために使用者の社名１３、マーク・所属・氏名・連絡先等、使用者を特定するための名刺本来の本人情報２が印刷される第２印刷部７ｃの上には、ハウジング会社を連想させるように家等の形状に打ち抜かれてこれに対応する印刷も施された第１印刷部６ｃが重ねられるようになっている。なお、この家等のデザインにおいては、その上方にある図５中斜線を付した部分は製造時には切断されて除去される不要部分４ｃである。
【００３６】
本例においても、注文が予想されるハウジング会社ごとに、指定された家、雲等のデザイン及び社名、マーク等までは所定寸法の各用紙部に所定の位置・書式で印刷して準備しておき、注文を受けてから第２用紙部７ｃの中央部分に使用者の氏名、所属、連絡先等の本人情報２を印刷し、前記不要部分４ｃをプレスにより切断、除去し、さらにプレスにより家形の第１用紙部６ｃを第２用紙部７ｃに折り重ねて仕上がりとなる。
【００３７】
本例においても、第１例と同様に既製品を多種類用意しておき、顧客がその中から自由に気に入ったデザインの用紙部を選択し、これに氏名等を印刷してプレス加工することにより直ちに造形名刺１ｃとすることができるようにしておけば、新規の受注に対しても容易に対応できることはもちろんである。
【００３８】
（４）第４実施形態（２面タイプ、図７及び図８）
本例は、第３実施形態の変形例であり、第３実施形態と同一の部分については第３実施形態と同一の符号を付して説明を省略し、異なる部分のみを説明する。
本例では、第２用紙部７ｃの本人情報２の横に使用者の顔写真１６（又はイラスト等）等、所望の表示を形成しておき、第１用紙部６ｃの前記顔写真１６に対応する特定位置（前記家形の窓に相当する位置）に家の窓として貫通孔１７を切断除去により形成する。貫通孔１７は、不要部分４ｃを切断、除去する際に同時に加工する。
【００３９】
このようにすれば、図８に示すように第２用紙部７ｃに第１用紙部６ｃを重ねた場合に、手前にくる第１用紙部６ｃの家の窓から第２用紙部７ｃに設けた使用者の顔写真１６が覗く形となり、受け取り手に与える印象はさらに強くなる。
【００４０】
（５）第５実施形態（３面タイプ、図９及び図１０）
図９は第５実施形態の造形名刺１ｄの製造工程中（切断前、折り重ね前）の平面図であり、図１０は第５実施形態の造形名刺１ｄ（完成品）の平面図である。この造形名刺１ｄは、折線１０ｄ１，１０ｄ２を境に区画されて折り重ね自在とされた同一矩形状の第１乃至第３用紙部６ｄ、７ｄ、９ｄからなる印刷用紙８ｄから製造される。
【００４１】
図９に示すように、第５実施形態の印刷用紙８ｄは、横長に使用する矩形の第１用紙部６ｄと、これと同形の第２及び第３用紙部７ｄ、９ｄが、第１用紙部６ｄの上下の各長辺（折線１０ｄ１，１０ｄ２）にて上下両方向にそれぞれ連続した全体として縦長矩形状の外形を呈している。
【００４２】
図９に示すように、第１用紙部６ｄ（図中中央）の表面には、使用者の社名１３、マーク、使用者の所属・氏名・連絡先等、使用者を特定するための名刺本来の本人情報２が印刷されている。また、図９に示すように、第２用紙部７ｄ（図中下側）は、その一部である不要部分４ｄ（斜線部分）を家の外形に沿って切断して除去することにより所望の家形に加工される。この第２用紙部７ｄの表面には図９に示すように所望の色彩が印刷され、必要に応じて使用者の顔写真、イラストその他の必要情報１８が印刷される。また、図１０に示すように、この第２用紙部７ｄの裏面には家の形状に相当する形態、色彩で家の図柄１９の印刷が施されている。また、図９に示すように、第３用紙部９ｄ（図中上側）は、その一部である不要部分４ｄ（斜線部分）が家の外形に沿って切断、除去されることにより所望の家形に加工される。この第３用紙部の裏面には図１０に示すように家の図柄１９の背景となる空を表す空色の色彩２０が印刷されている。
【００４３】
従って、図１０に示すように、家の形態に打ち抜いた第３用紙部９ｄを折線１０ｄ２を介して第１用紙部６ｄの表面側に折り返して重ね、次に家の形態に打ち抜いた第２用紙部７ｄを折線１０ｄ１を介して第３用紙部９ｄの表面側に折り返して重ねると、家の形をした第２用紙部７ｄが第３用紙部９ｄに印刷された空色の色彩２０を背景として配置される状態となる。
【００４４】
この造形名刺１ｄを受け取った顧客乃至潜在的顧客は、家のデザインから連想されるイメージから営業者の業種（例えばハウジング産業）を直ちに強く印象付けられ、その後に家形の第２用紙部７ｄ及び第３印刷部９ｄを開くことで当該営業者の氏名等を視認するので、単に矩形の用紙に氏名等が印刷された名刺を受け取った場合に比べて多面的に強烈な印象を与えられることになる。この効果は営業上、大いに有利に働く。
【００４５】
本例では、一例としてハウジング会社の社員が使用する造形名刺１ｄを例示しており、そのために使用者の社名１３、マーク・所属・氏名・連絡先等、使用者を特定するための名刺本来の本人情報２が印刷される第１印刷部６ｄの上には、ハウジング会社を連想させるように家等の形状に打ち抜かれてこれに対応する印刷も施された第２印刷部７ｄ及び第２印刷部９ｄが重ねられるようになっている。なお、この家等のデザインにおいては、その図９中において斜線を付した部分は製造時には切断されて除去される不要部分４ｄである。
【００４６】
本例においても、注文が予想されるハウジング会社ごとに、指定された家等のデザイン及び社名、マーク等までは所定寸法の各用紙部に所定の位置・書式で印刷して準備しておき、注文を受けてから第１用紙部６ｄの中央部分に使用者の氏名、所属、連絡先等の本人情報２を印刷し、前記不要部分４ｄをプレスにより切断、除去し、さらにプレスにより家形の第２及び第３用紙部７ｄ、９ｄを第１用紙部６ｄに折り重ねて仕上がりとなる。
【００４７】
本例においても、第１例と同様に既製品を多種類用意しておき、顧客がその中から自由に気に入ったデザインの用紙部を選択し、これに氏名等を印刷してプレス加工することにより直ちに造形名刺１ｄとすることができるようにしておけば、新規の受注に対しても容易に対応できることはもちろんである。
【００４８】
（６）第６実施形態（３面タイプ、図１１及び図１２）
図１１は第６実施形態の造形名刺１ｅの製造工程中（切断前、折り重ね前）の平面図であり、図１２は第６実施形態の造形名刺１ｅ（完成品）の平面図である。この造形名刺１ｅは、折線１０ｃを境に区画されて折り重ね自在とされた同一矩形状の第１乃至第３用紙部からなる印刷用紙から製造される。
【００４９】
図１１に示すように、第６実施形態の印刷用紙８ｅは、横長に使用する矩形の第１用紙部６ｅと、これと同形の第２及び第３用紙部７ｅ，９ｅが、第１用紙部６ｅの左右の各短辺（折線１０ｅ１，１０ｅ２）にて左右両方向にそれぞれ連続した全体として横長矩形状を呈している。
【００５０】
図１１に示すように、第１用紙部６ｅ（図中中央）の表面には、使用者の社名１３、マーク、使用者の所属・氏名・連絡先等、使用者を特定するための名刺本来の本人情報２が印刷されている。また、図１１に示すように、第２用紙部７ｅ（図中左側）及び第３用紙部９ｅ（図中右側）は、その各一部が不要部分４ｅ（斜線部分）として切断除去され、ウイング形状に加工される。この第２及び第３用紙部７ｅ，９ｅの各表面及び／又は裏面には図１１に示すように所望の色彩１９が印刷され、さらに必要に応じて使用者の顔写真、イラストその他の必要情報が印刷される。
【００５１】
そして、図１２に示すように、ウイング状に打ち抜いた第２及び第３用紙部７ｅ，９ｅを折線１０ｅ１，１０ｅ２を介して第１用紙部６ｅの裏面側に折り返して重ねる。
【００５２】
この造形名刺１ｅを受け取った顧客乃至潜在的顧客は、単なる一枚ものの通常の名刺ではなく、背面側に２片のウイングが設けられた造形に興味を惹かれるはずであるから、単に矩形の用紙に氏名等が印刷された名刺を受け取った場合に比べて多面的に強烈な印象を与えられることになる。この効果は営業上、大いに有利に働く。なお、２枚のウイングは第１用紙部６ｅの裏面側に折り返して氏名等が見えるようにしたが、２枚のウイングを第１用紙部６ｅの表面側に折り返して氏名等が最初は見えないようにしてもよい。
【００５３】
本例では、使用者の社名１３，マーク，所属・氏名・連絡先等の使用者を特定するための名刺本来の本人情報２が印刷される第１印刷部６ｅに対して、その両側の用紙部７ｅ，９ｅをウイング状の造形としたが、この造形はウイングに限らず使用者の所属会社や業種等に応じて受け取り手に最も強烈な印象を与えうるようなデザインを選ぶことができる。
【００５４】
本例においても、注文が予想される需要者ごとに、指定された造形及び社名、マーク等までは所定寸法の各用紙部に所定の位置・書式で印刷して準備しておき、注文を受けてから第１用紙部６ｅの中央部分に使用者の氏名、所属、連絡先等の本人情報２を印刷し、前記不要部分４ｅをプレスにより切断、除去し、さらにプレスにより第２及び第３用紙部７ｅ，９ｅを第１用紙部６ｅに折り重ねて仕上がりとなる。
【００５５】
本例においても、第１例と同様に既製品を多種類用意しておき、顧客がその中から自由に気に入ったデザインの用紙部を選択し、これに氏名等を印刷してプレス加工することにより直ちに造形名刺１ｅとすることができるようにしておけば、新規の受注に対しても容易に対応できることはもちろんである。
【００５６】
（７）第７実施形態（５面タイプ、図１３及び図１４）
図１３は第７実施形態の造形名刺１ｆの製造工程中（切断前、折り重ね前）の平面図であり、図１４は第７実施形態の造形名刺１ｆ（完成品）の平面図である。この造形名刺１ｆは、折線１０ｆ１〜１０ｆ４を境に区画されて折り重ね自在とされた同一矩形状の第１乃至第５用紙部６ｆ、７ｆ、９ｆ、２０ｆ、２１ｆからなる印刷用紙８ｆから製造される。
【００５７】
図１３に示すように、第７実施形態の印刷用紙８ｆは、横長に使用する矩形の第１用紙部６ｆと、これと同形の第２乃至第５用紙部７ｆ、９ｆ、２０ｆ、２１ｆが、第１用紙部の６ｆ上下左右の各辺（折線１０ｆ１〜１０ｆ４）にて上下左右方向にそれぞれ連続した全体として十字型の形状（蓋なし直方体の展開形状）を呈している。
【００５８】
図１３に示すように、第１用紙部６ｆ（図中中央）の表面には、使用者の社名１３、使用者の所属・氏名・連絡先等、使用者を特定するための名刺本来の本人情報２が印刷されている。また、第１用紙部６ｆの上方には家の中央部分を表す図柄２２が印刷されている。
【００５９】
第１用紙部６ｆの家の図柄２２は、第１用紙部６ｆの左右に連続する第２及び第３用紙部７ｆ、９ｆに家の左右両端側を表す図柄として連続して表されている。また、第２及び第３用紙部７ｆ、９ｆには、家の図柄２２の背景として好適な丘や雲が流れる青空、小鳥や蝶などの自然物の図柄２３も印刷されている。そして、第２及び第３用紙部７ｆ、９ｆは上記図柄２３の印刷に対応したウイング形状に打ち抜かれている。
【００６０】
また、第１用紙部６ｆの上に連続する第４用紙部２０ｆには家の図柄２２の上方に存在する背景として雲が流れる青空の図柄２３が印刷されているが、第４用紙部２０ｆは上記図柄２３の印刷に対応した三角形状に打ち抜かれている。
【００６１】
また、第１用紙部６ｆの下に連続する第５用紙部２１ｆには、メッセージの記入欄２４（罫線）が印刷されており、第５用紙部２１ｆは上記記入欄２４の印刷に対応した三角形状に打ち抜かれている。
【００６２】
そして、図１４に示すように、第１用紙部６ｆにその他の用紙部７ｆ、９ｆ、２０ｆ、２１ｆをプレスで折り曲げて重ねる。すなわち、ウイング状に打ち抜いた第２及び第３用紙部７ｆ、９ｆを折線１０ｆ１、１０ｆ１を介して第１用紙部６ｆの裏面側に折り返して重ね、三角形状に打ち抜いた第４及び第５用紙部２０ｆ、２１ｆを折線１０ｆ３，１０ｆ４を介して第１用紙部６ｆの裏面側に折り返して第２及び第３用紙部７ｆ、９ｆの上に重ねる。このようにすれば、図１４に示すように表面には家の図柄２２と社名１３、氏名等の本人情報２が印刷された第１用紙部６ｆが前面に表れる矩形の名刺となるが、これを受け取った者は名刺の社名１３、氏名等の本人情報２を見た後に背面側の各用紙部が展開できることに気づき、これを前面側に開くと受け取った者の眼前には全体に広がりのある自然の中の家という図柄２２が現出することとなり、その受け取り者にハウジング会社の良好なイメージを与えることができる。
【００６３】
本例では、ハウジング会社を例にとってデザインを説明したが、もちろん他業種においても同様の考え方で図柄、色彩、形状等のデザインを設定することにより当該業種に適合した効果を達成することができる。
【００６４】
本例においても、注文が予想される需要者ごとに、指定された造形及び社名、マーク等までは所定寸法の各用紙部に所定の位置・書式で印刷して準備しておき、注文を受けてから第１用紙部６ｆの中央部分に使用者の氏名、所属、連絡先等の本人情報２を印刷し、前記各用紙部７ｆ、９ｆ、２０ｆ、２１ｆの不要部分４ｆをプレスにより切断、除去し、さらにプレスにより各用紙部７ｆ、９ｆ、２０ｆ、２１ｆを第１用紙部６ｆに折り重ねて仕上がりとなる。
【００６５】
本例においても、第１例と同様に既製品を多種類用意しておき、顧客がその中から自由に気に入ったデザインの用紙部を選択し、これに氏名等を印刷してプレス加工することにより直ちに造形名刺１ｆとすることができるようにしておけば、新規の受注に対しても容易に対応できることはもちろんである。
【００６６】
（８）その他の実施形態等について
以上説明した実施形態は、用紙部が１面〜５面のものであったが、もちろん６面以上の用紙部を有する印刷用紙によって同様の考え方で造形名刺を製造（印刷、加工）することができる。
【００６７】
（９）実施形態におけ共通構成部分について
以上説明した他、各実施形態において、印刷用紙の材質は一般紙でもよいし、再生紙でもよい。また紙に限らず、金属シートや樹脂シートも利用できる。また、印刷色は１色から多色まで任意であり、使用するインクも一般的なインクの他、特殊インクも利用できる。また、その他の加工手法としては、文字、図柄の浮き出しや型押しが可能である。また、香料印刷も可能である。また、液晶印刷も可能である。また、各種バーコード及びＱＲコードの印刷も可能である。また、用紙部の表裏に樹脂液を塗布することも可能であり、フィルムを貼り合せることもでき、印刷状態を長く保つことが出来る。また、名刺としての表記は視力障害者のために点字で行うことも可能である。さらに、用紙部の表裏の少なくとも一部に記憶媒体（フィルム等）を施すこともできる。さらに、造形名刺の表裏の一部に所定の規則で記号乃至数字を印刷し、これを懸賞の当選番号として営業活動乃至個人的な楽しみに利用することもできる。
このような構成を加えれば、これらによる効果は前述した基本的な効果と相乗的に働いてさらに本考案の造形名刺の効果を増大させることとなる。
【００６８】
以上説明したように、本考案の造形名刺によれば、規格寸法からなる従来の単なる矩形の名刺とは全く異なり、従来にない形状・寸法・模様・色彩の自由度があり、受け取る側に強烈な印象を与えることができ、広告宣伝媒体としての高い機能も期待できるとともに、従来に全くない新規な名刺として話題性も抜群である。また、上記実施形態では営業活動のツールとしての効果を特に説明したが、このように自由な造形で審美的な効果も高く、玩具的な興趣もあるので、ビジネスユースだけではなく、子供やお年寄りも含めた広い年齢層の需要者が幅広い用途で楽しむことができる。
【００６９】
また、１枚の用紙を折線を境に複数の用紙部にプレスで折り反して展開しないように互いに重ねれば、受渡しの段階では折り重ねた上側の用紙部の印刷が視認され、受け取り後に受け取り者が折り重ねた上側の用紙部を開くと下側の用紙部の印刷が見えるので、受け取る側に与える印象をさらに強めることができる。
【００７０】
また、重ねられた複数の各用紙部のデザインを名刺使用者の業務における取り扱い対象や商品の形状としたり、重ねられて後に展開されて順次視認されていく各用紙部のデザインに関連性を持たせる（例えば自動車会社であれば、種類の異なる自動車のデザインを重ねた各用紙部にそれぞれ印刷する等）等により、その効果をさらに高めることができる。
【００７１】
このように、本考案の造形名刺は従来に全く見られない新規な形状・構造を有する全く新機軸の名刺として受け取る者にとって大きな心理的インパクトを与えるものであり、営業上・宣伝広告上の効果が大きいという現実的に極めて有益な効果が得られるものである。
【図面の簡単な説明】
【００７２】
【図１】図１は第１実施形態の造形名刺の製造工程中（切断前）の平面図である。
【図２】図２は第１実施形態の造形名刺（完成品）の平面図である。
【図３】図３は第２実施形態の造形名刺の製造工程中（切断前、折り重ね前）の平面図である。
【図４】図４は第２実施形態の造形名刺（完成品）の平面図である。
【図５】図５は第３実施形態の造形名刺の製造工程中（切断前、折り重ね前）の平面図である。
【図６】図６は第３実施形態の造形名刺（完成品）の平面図である。
【図７】図７は第４実施形態の造形名刺の製造工程中（切断前、折り重ね前）の平面図である。
【図８】図８は第４実施形態の造形名刺（完成品）の平面図である。
【図９】図９は第５実施形態の造形名刺の製造工程中（切断前、折り重ね前）の平面図である。
【図１０】図１０は第５実施形態の造形名刺（完成品）の平面図である。
【図１１】図１１は第６実施形態の造形名刺の製造工程中（切断前、折り重ね前）の平面図である。
【図１２】図１２は第６実施形態の造形名刺（完成品）の平面図である。
【図１３】図１３は第７実施形態の造形名刺の製造工程中（切断前、折り重ね前）の平面図である。
【図１４】図１４は第７実施形態の造形名刺（完成品）の平面図である。
【符号の説明】
【００７３】
１ａ，１ｂ，１ｃ，１ｄ，１ｆ  造形名刺
２  本人情報
５  用紙部
６ｂ，６ｃ，６ｄ，６ｅ，６ｆ  第１用紙部
７ｂ，７ｃ，７ｄ，７ｅ，７ｆ  第２用紙部
８ｂ，８ｃ，８ｄ，８ｅ，８ｆ  印刷用紙
９ｂ，９ｃ，９ｄ，９ｅ，９ｆ  第３用紙部
２０ｆ  第４用紙部
２１ｆ  第５用紙部
１０ｂ，１０ｃ，１０ｄ１，１０ｄ２，１０ｅ１，１０ｅ２，１０ｆ１，１０ｆ２，１０ｆ３，１０ｆ４  折線
【図１】
0003118939.tif 000003
【図２】
0003118939.tif 000004
【図３】
0003118939.tif 000005
【図４】
0003118939.tif 000006
【図５】
0003118939.tif 000007
【図６】
0003118939.tif 000008
【図７】
0003118939.tif 000009
【図８】
0003118939.tif 000010
【図９】
0003118939.tif 000011
【図１０】
0003118939.tif 000012
【図１１】
0003118939.tif 000013
【図１２】
0003118939.tif 000014
【図１３】
0003118939.tif 000015
【図１４】
0003118939.tif 000016